(57)【特許請求の範囲】
【請求項１】
被読取原稿に記録された画像を読み取る画像読取装置と、
この画像読取装置と一体となるように着脱自在に接続され、記録媒体と前記画像読取装置の間において画像データの転送を行なうための記録媒体インターフェースアダプタと、
前記画像読取装置に対して着脱自在であり、所定の外部装置と前記画像読取装置の間において画像データの転送を行なうための外部インターフェースアダプタとを備え、
前記記録媒体インターフェースアダプタの外面には、前記記録媒体を装着するための記録媒体装着部と前記記録媒体に対する画像データの記録を行なうための操作スイッチと前記画像読取装置および前記記録媒体インターフェースアダプタの動作状況を表示する表示パネルとが設けられることを特徴とする画像読取システム。
【請求項２】
前記記録媒体インターフェースアダプタ内に、前記画像データのフォーマットを、前記外部装置に応じたフォーマットに変換するためのインターフェース回路が設けられることを特徴とする請求項１に記載の画像読取システム。
【請求項３】
前記画像読取装置には、前記記録媒体に対する画像データの記録を行なうための操作スイッチが設けられないことを特徴とする請求項１に記載の画像読取システム。
【請求項４】
前記記録媒体インターフェースアダプタに、日付および時刻を管理するためのクロック手段と、前記画像読取装置とは独立に、前記クロック手段に駆動電力を供給するバックアップバッテリとが設けられることを特徴とする請求項１に記載の画像読取システム。
【発明の詳細な説明】
【０００１】
【発明の属する技術分野】
本発明は、例えばフィルムに記録された画像をラインセンサによって読み取る画像読取装置に関し、より詳しくは、この画像読取装置を外部装置に接続するための構成に関する。
【０００２】
【従来の技術】
従来画像読取装置は、例えばコンピュータに接続可能であり、画像読取装置によって得られた画像データはコンピュータに転送されて、モニタ装置の画面に表示され、あるいは記録媒体に記録される。画像読取装置から出力される画像データとコンピュータによって処理される画像データは、それぞれ所定の規格に準拠していなければならない。したがってコンピュータが、入力される画像データをコンピュータのインターフェース規格に適合するように変換するためのインターフェース回路を有しているか、あるいは画像読取装置が、コンピュータが読取可能な画像データを出力するようなインターフェース回路を有していることが必要である。言い換えれば、各々のインターフェース仕様が合致している必要がある。
【０００３】
【発明が解決しようとする課題】
このように従来、画像読取装置に接続可能なコンピュータ等の外部装置は、特にハードウエア的に制限されており、任意の外部装置に接続することは困難であった。
【０００４】
本発明の目的は、画像読取装置に接続可能な外部装置の自由度を高めることを目的としている。
【０００５】
【課題を解決するための手段】
本発明に係る画像読取システムは、被読取原稿に記録された画像を読み取る画像読取装置と、この画像読取装置に対して着脱自在であり、所定の外部装置と画像読取装置の間において画像データの転送を行なうためのインターフェースアダプタとを備えたことを特徴としている。
【０００６】
インターフェースアダプタ内に、画像データのフォーマットを、前記外部装置に応じたフォーマットに変換するためのインターフェース回路が設けられてもよい。
【０００７】
外部装置が記録媒体である場合には、インターフェースアダプタ内に、記録媒体を装着するための記録媒体装着部が設けられる。この場合好ましくは、インターフェースアダプタに、記録媒体に対する画像データの記録を行なうための操作スイッチが設けられ、画像読取装置には、記録媒体に対する画像データの記録を行なうための操作スイッチが設けられない。またこの場合、インターフェースアダプタに、日付および時刻を管理するためのクロック手段と、画像読取装置とは独立に、クロック手段に駆動電力を供給するバックアップバッテリとが設けられることが好ましい。
【０００８】
【発明の実施の形態】
以下、本発明の実施の形態を図面を参照して説明する。
図１は、本発明の一実施形態である画像読取システムを示すブロック図である。画像読取システムにおいて、画像読取装置１０には外部インターフェースアダプタ２０または記録媒体インターフェースアダプタが接続可能であり、図１に示す状態では外部インターフェースアダプタ２０が接続されている。
【０００９】
外部インターフェースアダプタ２０は画像読取装置１０に対して着脱自在である。外部インターフェースアダプタ２０には、図示しないコンピュータ等が接続される。すなわち、被読取原稿Ｍに記録された画像は画像読取装置１０によって読み取られ、外部インターフェースアダプタ２０を介してコンピュータに転送される。
【００１０】
画像読取装置１０において用いられる被読取原稿Ｍは透過原稿（例えばネガフィルム）であり、被読取原稿Ｍは原稿移送機構１１によって矢印Ａ方向に間欠的に移送される。被読取原稿Ｍの通過経路の上方には光源１２が配設され、また下方には結像レンズ１３とラインセンサ１４が設けられている。光源１２の点灯と消灯は光源駆動回路４１によって、またラインセンサ１４による画像の検出動作はラインセンサ駆動回路４２によって制御される。原稿移送機構１１、光源駆動回路４１およびラインセンサ駆動回路４２はシステムコントロール回路４０から出力される指令信号に従って動作する。
【００１１】
ラインセンサ１４から読み出された画像データはアンプ４３により増幅され、Ａ／Ｄ変換器４４によってデジタル信号に変換される。デジタルの画像データは、画像処理回路４５においてシェーディング補正を施された後、メモリ４６に一旦格納される。この画像データはメモリ４６から読み出され、色補正、ガンマ補正等の所定の演算処理を施される。これらの処理を施された画像データは、外部インターフェースアダプタ２０内に設けられたインターフェース回路２１において、接続されるコンピュータ（図示せず）によって読取可能なフォーマットの信号に変換され、インターフェースコネクタ２２を介してコンピュータ（図示せず）に出力可能である。Ａ／Ｄ変換器４４、画像処理回路４５、インターフェース回路２１の各動作は、システムコントロール回路４０により制御される。
【００１２】
また画像読取装置１０には、電源回路１５が設けられている。電源回路１５は画像読取装置１０の外部に設けられた電源（図示せず）に、電源端子１６を介して接続される。電源回路１５から入力される電力は、画像読取装置１０内の各回路に供給され、また電源接続端子Ｐを介して外部インターフェースアダプタ２０内のインターフェース回路２１等に供給される。なお電源回路１５はインターフェースアダプタ側に内蔵されるように構成してもよい。
【００１３】
画像読取装置１０には、電源接続端子Ｐの他に、第１〜第８の接続端子１〜８が設けられている。第１の接続端子１は、画像処理回路４５から出力された画像データをインターフェース回路２１または後述する記録媒体装着部６１（図４参照）に伝送するために設けられ、例えば伝送データ巾が８bit の場合には、８個の接点を有する。第２の接続端子２は、システムコントロール回路４０をインターフェース回路２１または記録媒体装着部６１（図４参照）に接続するために設けられている。第３〜第５の接続端子３、４、５は、システムコントロール回路４０と後述する記録媒体インターフェースアダプタとを接続するために設けられている。第６〜第８の接続端子６、７、８は画像読取装置１０に接続されたインターフェースアダプタの種類を識別するために設けられている。
【００１４】
第６〜第８の接続端子６、７、８とシステムコントロール回路４０とを接続する信号線にはそれぞれプルアップ抵抗１７、１８、１９が接続されている。一方、外部インターフェースアダプタ２０は、画像読取装置１０に接続された状態において、第６の接続端子６が接地され、また第７および第８の接続端子７、８が開放されるように構成されている。したがって、外部インターフェースアダプタ２０が画像読取装置１０に接続されているとき、システムコントロール回路４０には、第６の接続端子６からローレベルの電圧信号が入力され、第７および第８の接続端子７、８を介してそれぞれハイレベルの電圧信号が入力される。これによりシステムコントロール回路４０では、所定のインターフェース仕様を有する（例えばＳＣＳＩ）外部インターフェースアダプタ２０が接続されていることが検出される。
【００１５】
図２は画像読取装置１０に外部インターフェースアダプタ２０を接続した状態を示す画像読取装置１０の前方から見た斜視図である。画像読取装置１０の本体３１は箱型を有し、外部インターフェースアダプタ２０の本体５１は画像読取装置１０の本体３１よりも偏平な箱型を有する。画像読取装置１０の本体３１の前面３２には、被読取原稿Ｍ（図１参照）を挿入するためのスロット３３が形成されている。
【００１６】
図３は画像読取装置１０に外部インターフェースアダプタ２０を接続した状態を示す画像読取装置１０の後方から見た斜視図である。画像読取装置１０の本体３１の背面３４には、電源スイッチ３５と電源ケーブル３６が設けられている。電源スイッチ３５は電源回路１５（図１参照）に対する電力供給のオンオフ制御を行なうために設けられている。電源回路１５はインターフェースアダプタ２０内に設けられてもよく、この場合、スイッチ３５、ケーブル３６はインターフェースアダプタ２０に配置されていてもよい。電源ケーブル３６は電源端子１６に接続されている。外部インターフェースアダプタ２０の本体５１の背面５２には、インターフェースコネクタ２２が設けられている。インターフェースコネクタ２２は、例えばＳＣＳＩ、ＲＳ２３２Ｃ、ＩＥＥＥ１３９４、ＵＳＢ、ＥＰＰ（エンハンストプリンタポート）等の規格に対応した構成を有している。
【００１７】
図４は画像読取装置１０に記録媒体インターフェースアダプタ６０を接続した状態を示している。すなわち画像読取装置１０は図１に示したものと同じである。記録媒体インターフェースアダプタ６０は画像読取装置１０に対して着脱自在である。記録媒体インターフェースアダプタ６０はコンピュータ等に接続されない。すなわち画像読取装置１０と記録媒体インターフェースアダプタ６０から構成される画像読取システムは、スタンドアロンモードで使用される。
【００１８】
画像読取装置１０においてメモリ４６から読み出され、色補正、ガンマ補正等の所定の演算処理を施された画像データは、第１の接続端子１を介して、記録媒体インターフェースアダプタ６０内の記録媒体装着部６１に伝送される。記録媒体装着部６１には記録媒体Ｒが装着可能である。記録媒体装着部６１に伝送された画像データは、システムコントロール回路４０の制御に従って、記録媒体Ｒに記録される。
【００１９】
記録媒体Ｒとしては、画像データを記録できるものであればよく、例えばＰＣＭＣＩＡ規格に準拠したメモリカード（ＰＣカード）のうちＡＴＡ（AT Attachment ）フラッシュメモリカードが使用可能である。なお記録媒体装着部６１を、光磁気ディスクあるいはフロッピーディスクを装着できるように構成することも可能である。
【００２０】
記録媒体インターフェースアダプタ６０は、画像読取装置１０に接続された状態において、第６および第７の接続端子６、７が接地され、また第８の接続端子８が開放されるように構成されている。したがって、記録媒体インターフェースアダプタ６０が画像読取装置１０に接続されているとき、システムコントロール回路４０には、第６および第７の接続端子６、７からローレベルの電圧信号が入力され、第８の接続端子８を介してそれぞれハイレベルの電圧信号が入力される。これによりシステムコントロール回路４０では、記録媒体インターフェースアダプタ２０が接続されていることが検出される。
【００２１】
また記録媒体インターフェースアダプタ６０には、表示パネル６２、操作スイッチ６３およびリアルタイムクロック６４が設けられ、リアルタイムクロック６４にはバックアップバッテリ６５が接続されている。表示パネル６２、操作スイッチ６３およびリアルタイムクロック６４は、それぞれ第３、第４および第５の接続端子３、４、５を介してシステムコントロール回路１９に接続される。表示パネル６２は、日付あるいは画像読取システムの動作状態等を表示するための液晶ディスプレイを備えている。操作スイッチ６３は動作モードの切替え、および記録媒体Ｒに対する画像データの記録動作等のために設けられている。リアルタイムクロック６４は日付および時刻を管理するために設けられている。リアルタイムクロック６４には、バックアップバッテリ６５によって、画像読取装置とは独立に駆動電力が供給される。
【００２２】
図５は画像読取装置１０に記録媒体インターフェースアダプタ６０を接続した状態を示す画像読取装置１０の前方から見た斜視図である。図６は画像読取装置１０に記録媒体インターフェースアダプタ６０を接続した状態を示す画像読取装置１０の後方から見た斜視図である。記録媒体インターフェースアダプタ６０の本体６６は画像読取装置１０の本体３１よりも偏平な箱型を有し、また本体６６の前面６７の下部は前方に張り出す突出部６８として構成されている。
【００２３】
突出部６８の上面には表示パネル６２が設けられ、また表示パネル６２の両側には、操作スイッチ６３（図４参照）を構成するモード切替えスイッチ６３ａ、記録スイッチ６３ｂ、アップスイッチ６３ｃ、ダウンスイッチ６３ｄが配設されている。モード切替えスイッチ６３ａは画像読取装置１０の動作モードを切替えるため、記録スイッチ６３ｂは記録媒体Ｒへの画像データの記録を行なうため、アップスイッチ６３ｃとダウンスイッチ６３ｄは、画像データが記録される記録媒体Ｒの記録領域の変更、あるいは日付と時刻の調整等のために設けられている。
【００２４】
突出部６８の上側には、記録媒体Ｒ（図４参照）を挿入するためのスロット６９が形成されている。またスロット６９の横には、記録媒体Ｒを記録媒体装着部６１から取り外すためのイジェクトボタン７０が設けられている。すなわち記録媒体Ｒは、スロット６９に挿入して所定量だけ押し込むことによって記録媒体装着部６１に取り付けられ、またイジェクトボタン７０を押すことによって記録媒体装着部６１から取り外される。
【００２５】
図７は画像読取装置１０に記録媒体インターフェースアダプタ６０を接続した状態における、表示パネル６２の表示例を示す図である。第１の表示例Ｄ１は、画像読取システムがスタンバイモードに設定されていること、すなわち被読取原稿Ｍに記録された画像の読み取りが可能であることを示している。第２の表示例Ｄ２は、日付／時刻設定モードが設定されていること、すなわち日付および時刻を調整可能であることを示している。表示例Ｄ３は、消去モードが設定されていること、すなわち記録媒体Ｒに記録された画像データを消去可能であることを示している。表示例Ｄは、解像度設定モードが設定されていること、すなわち画像の読み取りにおける解像度を変更可能であることを示している。
【００２６】
以上のように本実施形態では、画像読取装置１０に接続すべきコンピュータに対応した外部インターフェースアダプタ２０を用意しておけば、この外部インターフェースアダプタ６０を介して画像読取装置１０をそのコンピュータに接続することができる。さらに本実施形態によれば、画像読取装置１０を記録媒体インターフェースアダプタ６０に接続することにより、記録媒体Ｒに画像データを記録することができる。したがって本実施形態によれば、画像読取装置１０の接続の自由度を高めることができる。
【００２７】
また記録媒体インターフェースアダプタ６０のリアルタイムクロック６４にはバックアップバッテリ６５が接続されているため記録媒体インターフェースアダプタ６０を画像読取装置１０に接続することなく日付と時刻を管理することができる。
【００２８】
【発明の効果】
以上のように本発明によれば、画像読取装置に接続可能な外部装置の自由度を高めることができる。
【図面の簡単な説明】
【図１】本発明の一実施形態である画像読取システムを示し、画像読取装置に外部インターフェースアダプタを接続した状態を示すブロック図である。
【図２】画像読取装置に外部インターフェースアダプタを接続した状態を、画像読取装置の前方から見た斜視図である。
【図３】画像読取装置に外部インターフェースアダプタを接続した状態を、画像読取装置の後方から見た斜視図である。
【図４】本発明の一実施形態である画像読取システムを示し、画像読取装置に記録媒体インターフェースアダプタを接続した状態を示すブロック図である。
【図５】画像読取装置に記録媒体インターフェースアダプタを接続した状態を、画像読取装置の前方から見た斜視図である。
【図６】画像読取装置に記録媒体インターフェースアダプタを接続した状態を、画像読取装置の後方から見た斜視図である。
【図７】画像読取装置に記録媒体インターフェースアダプタを接続した状態において、表示パネルによって表示される例を示す図である。
【符号の説明】
１０  画像読取装置
２０  外部インターフェースアダプタ
６０  記録媒体インターフェースアダプタ
Ｍ    被読取原稿
【図１】
0003851435.tif 000002
【図２】
0003851435.tif 000003
【図３】
0003851435.tif 000004
【図４】
0003851435.tif 000005
【図５】
0003851435.tif 000006
【図６】
0003851435.tif 000007
【図７】
0003851435.tif 000008